(57)【要約】【課題】従来ヘルメットや帽子に照明具を取付ける場合、専用の取付金具を使用したり、ツバ部に挟み込む方式であったが、本発明は専用金具を不用とし、挟み込み方式の様な不安定さを無くし、ヘルメットやつば付帽子と照明具を一体化することを目的とするものである。【解決手段】１枚のプリント回路基板上にＬＥＤ、電源スイッチ、電池ホルダーにより形成された回路ユニットを本体ケースに収納し、本体ケースと裏蓋は差込嵌合する様形成され、その裏蓋を両面接着テープでヘルメットやつば付防止のつば裏面に貼り付け、回路ユニットが収納された本体ケースを差込嵌合する事で、ヘルメット並びにつば付帽子と照明具が一体型となる。【選択図】図１
2013087407.tif 000002
【特許請求の範囲】
【発明の詳細な説明】
【技術分野】
【０００１】  本発明は、暗所での作業や歩行時の視角範囲を照らす照明具で、ヘルメット並びにつば付帽子のつば裏面部に両面接着テープで貼り付ける照明具に関するものである。
【背景技術】
【０００２】  従来、ヘルメットへの後付照明具は、一般的にはヘルメットとは別の専用ホルダーにペン型ライト等の照明具を装着した物が用いられている。（例えば、特許文献１参照）。【０００３】  また、つば付帽子用照明具は帽子のツバにクリップで挟みこむ物が実用化されている。【０００４】  また、最近では帽子のツバ内部に照明具を組み込んだ物が考案されている。（例えば、特許文献２参照）。【０００５】  また、つば裏面に面ファスナーを貼り付け照明具を面ファスナーで組付ける物が考案されている。（例えば、実用新案文献３参照）。
【先行技術文献】
【特許文献】
【０００６】
【特許文献１】  特許公開２０００−３５５８１７
【特許文献２】  特許出願２００８−１４６５７８
【実用新案文献３】
登録実用新案第３１３８２６２
【発明の概要】
【発明が解決しようとする課題】
【０００７】  本発明が解決しようとする問題点は、ヘルメットにおいては専用ホルダーをヘルメットに取付そのホルダーに照明具を装着するため、頭部に重力が加わったり、照明具の取付、取り外しに専用工具を要する等、面倒であった。【０００８】  また、取り付け位置によっては視線方向と照明の照射方向にズレが生じる事もあった。【０００９】  また、帽子のつばにクリップで挟みこむ照明具は弱いショック等で帽子のつばより脱落し、照明具が破損する危険性が有った。【００１０】  また、帽子のつば内に照明具を組み込んだ物は帽子又は照明具の何れかが壊れたとき廃棄せねばならないため不経済である。【００１１】  また、照明具を面ファスナーでヘルメットのつば部に固定する方法は照明具がつば部に固着されないため、照射方向が不安定と成るばかりか、電池交換等で頻繁に着脱すると保持力が低下する欠点がある。本発明は、以上の様な欠点を無くすためになされたものである。
【課題を解決するための手段】
【００１２】  本発明の照明具は１枚のプリント回路基板上にＬＥＤ、電源スイッチ、電池ホルダーで形成された回路ユニットを、本体ケースに収納した本体ユニットと裏蓋より構成された照明具で、本体ケースと裏蓋は差し込み嵌合するよう形成されている。裏蓋をヘルメット並びに帽子のツバ裏面に両面接着テープ等で貼付け固定する。本体ユニットを裏蓋に差し込み嵌合することによりヘルメット並びに帽子との一体型の照明具となる。【００１３】  また、裏蓋は本体ユニットと差込嵌合されているため、電池交換時など容易に着脱が可能である。また、裏蓋は薄板で形成されており、照明具の不使用時は本体ユニットを裏蓋より離脱しても、裏蓋がつばの裏に貼り付けていても視野の妨げに成らない。【００１４】  また、本発明の照明具は薄型でヘルメットや帽子のつば裏面に密着して張り付いているため視線方向と照明の照射方向は一致する。【００１５】  さらに、本発明は光センサーと振動スイッチを組み込むことにより暗いところで動きの有る時のみ一定時間点灯する様構成されているため、暗所より明所に移動した時にスイッチの切り忘れによる電池消耗を無くす事が出来る。
【発明の効果】
【００１６】  本発明の照明具はヘルメットや帽子に専用の取付具を使用せず、裏蓋を直接ヘルメットや帽子のつば裏面に貼付け固定し、本体ユニットを差し込む構造なので取り扱いが容易であり、またＬＥＤ、コイン電池を使用しているため薄型、軽量で頭部への負担が軽減される。
【図面の簡単な説明】
【００１７】
【図１】  本発明の一実施例の分解斜視図である。
【図２】  本発明の一実施例の制御回路の回路図である。。
【図３】  本発明のヘルメット並びにつば付帽子のつば裏面に取付ける一実施例を示す図である。
【発明を実施するための形態】
【００１８】  プリント回路基板３ａ上にＬＥＤ６、電池ホルダー４、電源スイッチ５、光センサー８、振動スイッチ９、制御回路１０を組付け、プリント回路により回路配線が一括配線される。
【００１９】  制御回路１０は振動スイッチ９とＣＤＳによる光センサー８の互いの信号をＡＮＤ回路で出力し、単安定マルチバイブレーター回路１２で一定時間ＬＥＤ６を点灯する様、構成されている。よって、暗い場所で作業したときのみＬＥＤ６が点灯し、明るい場所では自動消灯するため、電源スイッチ５のＯＮ／ＯＦＦの手間を要しない。
【００２０】  回路が形成された回路ユニット３は本体ケース１ａの前面の丸穴部にスイッチ５に取付けたスイッチボタン５ａとＬＥＤ６とが突出するように組付ける。さらに、電池ホルダー４にはコイン電池７を組込み本体ユニット１となる。
【００２１】  本体ケース１ａの両側のツバ部が裏蓋２の両側の溝に差込嵌合する様形成されている。
また、本体ケース１ａの両側のツバの中央部に窪みを形成し、裏蓋２の両側の溝の中程の本体ケース１ａの窪みに対応する位置に突起を設け、差込嵌合時の固持力を増すよう形成されている。
【００２２】  裏蓋２の表面には両面接着テープ１１が貼り付けられている。裏蓋２に貼り付けられた両面接着テープ１１の離型紙をはがし、ヘルメット並びにつば付帽子のツバ裏面１４に裏蓋２を貼り付け、本体ユニット１を差込嵌合することにより、一体型の照明具付ヘルメット並びにつば付帽子となる。
【００２３】  また、ヘルメット並びにつば付帽子のツバ裏面１４に裏蓋２の両側に開けられた穴に対応する位置に穴を開け、リベット並びにスナップピン１３で裏蓋２を固定し、本体ユニット１を差込嵌合し、一体型の照明具付ヘルメット並びにつば付帽子となる。
【００２４】  本体ユニット１と裏蓋２の嵌合は両側部の溝への挿入嵌合方式のため容易に電池交換が出来、また照明具不要時は本体ユニット１を取り外しても裏蓋２が薄板で形成されているため視界を妨げる事は無い。
【産業上の利用可能性】
【００２５】  本発明は、ヘルメットやつば付帽子へ取付ける照明具で、作業現場での保安灯として、また、自転車走行時の前照灯としてや老人、子供の夜間散歩等、安全のための照明具として適用できる。
【符号の説明】
【００２６】  １  本体ユニット
１ａ本体ケース
２  裏蓋
３  回路ユニット
３ａプリント回路基板
４  電池ホルダー
５  電源スイッチ
５ａスイッチボタン
６  ＬＥＤ
７  コイン電池
８  光センサー
９  振動スイッチ
１０  制御回路
１０ａスイッチノブ
１Ｉ  両面接着テープ
１２  単安定マルチバイブレーター回路
１３  リベット並びにスナップピン
１４  ヘルメット並びに帽子のつば裏面
【図１】
2013087407.tif 000003
【図２】
2013087407.tif 000004
【図３】
2013087407.tif 000005
【手続補正書】
【提出日】平成23年12月14日(2011.12.14)
【手続補正１】
【補正対象書類名】特許請求の範囲
【補正対象項目名】全文
【補正方法】変更
【補正の内容】
【特許請求の範囲】
【請求項１】
１枚のプリント回路基板上にＬＥＤ、電源スイッチ、電池ホルダーを形成し、本体ケースと裏蓋により構成される外装に収納し、ヘルメット並びに帽子のツバ裏面に取付けるように構成したことを特徴とする、ヘルメット並びにツバ付帽子用照明具。
【請求項２】
前記、請求項１に記載のプリント回路基板上に光センサーと振動センサー並びに制御回路を付加し、暗所で振動が加わった時のみ点灯するよう構成したことを特徴とする、ヘルメット並びにつば付帽子用照明具。
【請求項３】
前記、請求項２に記載の制御回路は光センサーと振動センサーをＡＮＤ回路で形成し、その出力を単安定マルチバイブレーター回路にて一定時間ＬＥＤをＯＮ／ＯＦＦする様、構成したことを特徴とする、ヘルメット並びにつば付帽子用照明具。
【請求項４】
前記、請求項２記載の光センサーにＣｄＳを使用したことを特徴とする、ヘルメット並びにつば付帽子用照明具。
【請求項５】
前記、請求項１に記載の本体ケースの両側のツバ部中央に窪みを設け、ツバ部に嵌合する裏蓋の両側の溝内の本体ケース両側のツバ部に設けた窪みに対応する位置に突起を形成し、裏蓋と本体ケースの嵌合を確実な物にする様、構成したことを特徴とする、ヘルメット並びにつば付帽子用照明具。
【請求項６】
前記、請求項１記載の裏蓋を両面接着テープでヘルメット並びに帽子のツバ部裏面に貼付け固着し、本体ケースを着脱する様、構成したことを特徴とする、ヘルメット並びにつば付帽子用照明具。
【請求項７】
前記、請求項１記載の裏蓋の両側に設けられた丸穴に対応するヘルメット並びに帽子のツバ部の位置に丸穴を開け、リベット及び着脱可能なスナップピンでヘルメット並びに帽子のツバ部裏面に裏蓋を固定し、本体ケースを着脱する様、構成したことを特徴とする、ヘルメット並びにつば付帽子用照明具。